(57)【要約】【課題】サイドバッグに簡易テーブル機能を付加し、かつ、荷物の収納性や、積載性を損なうことのないサイドバッグ用取付テーブルを提供する。【解決手段】実施形態のサイドバッグ用取付テーブル１Ａは、上面側に平らな面を有するテーブル本体１１ａと、テーブル本体１１ａの底面側に設けられた複数のサイドバッグ接続部１２ａとを備えている。サイドバッグ用取付テーブル１Ａは、一対のサイドバッグ１０Ａを車幅方向に準じた間隔をあけ、各々を対向させて地面に立直させた状態で、かつ、テーブル本体１１ａを一対のサイドバッグ１０Ａの上面側に載置させた状態で、サイドバッグ２Ａ及び３Ａの各々の取付用ベルト接続部２３ａ及び３３ａにサイドバッグ接続部１２ａを接続させて、テーブル形態で利用可能である。【選択図】図１
0003225837.tif 000002
【実用新案登録請求の範囲】
【請求項１】
鞍乗型車両の後部シートの車幅方向に装備可能な一対のサイドバッグに取付可能なサイドバッグ用取付テーブルであって、
上面側に平らな面を有するテーブル本体と、
前記テーブル本体の底面側に設けられた複数のサイドバッグ接続部とを備え、
前記一対のサイドバッグを前記車幅方向に準じた間隔をあけ、対向させて地面に立直させた状態で、かつ、前記テーブル本体を前記一対のサイドバッグの上面側に載置させた状態で、前記後部シートに取り付け可能なバッグ固定用取付ベルトのバッグ接続ベルトと着脱自在に接続可能な前記サイドバッグの各々の取付用ベルト接続部に前記サイドバッグ接続部を接続させて、テーブル形態で利用可能である
ことを特徴とするサイドバッグ用取付テーブル。
【請求項２】
前記サイドバッグ用取付テーブルを前記一対のサイドバッグから取り外した場合に、前記サイドバッグ用取付テーブルを前記一対のサイドバッグの少なくともいずれかの前記サイドバッグの収納空間に収納可能である
ことを特徴とする請求項１に記載のサイドバッグ用取付テーブル。
【請求項３】
複数の前記サイドバッグ接続部の各々は、一方の片端側に雄型又は雌型バックルを有する短手ベルトであり、当該短手ベルトの他方の片端側が留め具により前記テーブル本体の前記底面側に固定された
ことを特徴とする請求項１又は請求項２に記載のサイドバッグ用取付テーブル。
【請求項４】
鞍乗型車両の後部シートの車幅方向に装備可能な一又は一対のサイドバッグであって、
当該サイドバッグの上部に載置可能に固定できるサイドバッグ用取付テーブルと、
上面部と底面部とが平行形状で、かつ、地面上で立直可能な開閉自在の箱型形状ケースと、
前記鞍乗型車両の後部シートに取り付けられるバッグ固定用取付ベルトのバッグ接続ベルトに接続可能な取付用ベルト接続部と、を備え
前記サイドバッグ用取付テーブルは、
上面側に平らな面を有するテーブル本体と、
前記サイドバッグの前記取付用ベルト接続部と着脱自在に接続可能なサイドバッグ接続部と、を備え、
前記一又は一対のサイドバッグを前記車幅方向に準じた間隔をあけ、前記一のサイドバッグと対となるサイドバッグと又は前記一対のサイドバッグの各々を対向させて地面に立直させた状態で、かつ、前記テーブル本体を当該対向させた一対のサイドバッグの上面側に載置させた状態で、当該対向させた一対のサイドバッグの各々の取付用ベルト接続部に前記サイドバッグ接続部を接続させて、テーブル形態で利用可能とし、
前記サイドバッグ用取付テーブルを当該対向させた一対のサイドバッグから取り外した場合に、前記サイドバッグ用取付テーブルを前記箱型形状ケースの収納空間に前記サイドバッグ用取付テーブルを収納可能である
ことを特徴とするサイドバッグ。
【考案の詳細な説明】
【技術分野】
【０００１】
本考案は、キャンプ等においてテーブルとして、主に鞍乗型車両に装備するサイドバッグを利用して、取付可能なサイドバッグ用取付テーブルおよびサイドバッグに関するものである。
【背景技術】
【０００２】
自動二輪車等でのツーリング、キャンプ等の際に、例えば自動二輪車等の鞍乗型車両に荷物を積載する場合に、後部シートに収容ボックス、シートバッグ等の鞍乗型車両用シートバッグを取り付けて使用することが多くなっている。
【０００３】
なお、シートバッグにおいて、収納部と、収納部を開閉自在に覆う上蓋部と、第２の荷物を上蓋部又は収納部の表面側に保持可能な複数の装着ベルトとを備え、テ−ブル部に対して着脱可能な複数のテーブル脚部を収納空間に収納可能であり、複数の装着ベルトのいくつかを利用して後部シートへ取り付け可能であり、当該シートバッグを平地に置いた場合に上蓋部の閉状態においてテーブル部を開いて拡げ、複数のテーブル脚部をテーブル部に取り付けてテーブルの形態として利用可能であること等が知られている（例えば、特許文献１を参照）。
【先行技術文献】
【特許文献】
【０００４】
【特許文献１】実用新案登録第３２２１４６１号公報
【考案の概要】
【考案が解決しようとする課題】
【０００５】
バイクツーリングにおいて、例えばキャンプでの飲食等のために、簡易テーブルを利用する場合に、折畳み式、組立て式等の簡易テーブルをシートバッグ、サイドバッグ等に積載していた。しかしながら、簡易テーブルを積載する場合に、重量としても数ｋｇ程度あり、かつ、荷物としてはかさばる組立て式や折畳み式の簡易テーブルを荷物として積載する必要があった。
【０００６】
シートバッグに簡易テーブルを荷物として積載した場合に、荷物としてかさばるために、他の荷物を積載しないようにしたり、また、簡易テーブル自体を積載するのを止めて、キャンプ等での飲食等の際には地面にレジャーシートなどを敷いて、飲食等をするなど不便な体勢での状況等であった。
【０００７】
そこで、特許文献１等に示すシートバッグにおいて、簡易テーブルを含む構造のものが提案されている。しなしながら、特許文献１等に示すシートバッグは、簡易テーブルがシートバッグに取り付けられている構造であるため、このような簡易テーブルを利用するには、シートバッグ自体を、新たなシートバッグに変更する必要があった。
【０００８】
また、鞍乗型車両に装備するサイドバッグについては、特許文献１等に示すような簡易テーブルが存在しないため、バイクツーリング等において、簡易テーブルを利用する場合には、重量としても数ｋｇ程度あり、折り畳み可能であっても荷物としてはかさばる組立て式や、折り畳み式の簡易テーブルを荷物として積載する必要があった。
【０００９】
本考案が解決しようとする課題は、サイドバッグに簡易テーブル機能を付加し、かつ、簡易テーブル機能を付加した場合でも荷物の収納性や、積載性を損なうことのないサイドバッグ用取付テーブルおよびサイドバッグを提供することである。
【課題を解決するための手段】
【００１０】
上記課題を解決するために、本考案に係るサイドバッグ用取付テーブルは、鞍乗型車両の後部シートの車幅方向に装備可能な一対のサイドバッグに取付可能なサイドバッグ用取付テーブルである。当該サイドバッグ用取付テーブルは、上面側に平らな面を有するテーブル本体と、前記テーブル本体の底面側に設けられた複数のサイドバッグ接続部とを備え、前記一対のサイドバッグを前記車幅方向に準じた間隔をあけ、対向させて地面に立直させた状態で、かつ、前記テーブル本体を前記一対のサイドバッグの上面側に載置させた状態で、前記後部シートに取り付け可能なバッグ固定用取付ベルトのバッグ接続ベルトと着脱自在に接続可能な前記サイドバッグの各々の取付用ベルト接続部に前記サイドバッグ接続部を接続させて、テーブル形態で利用可能であることを特徴とする。
【００１１】
また、本考案に係るサイドバッグは、鞍乗型車両の後部シートの車幅方向に装備可能な一又は一対のサイドバッグである。当該サイドバッグは、当該サイドバッグの上部に載置可能に固定できるサイドバッグ用取付テーブルと、上面部と底面部とが平行形状で、かつ、地面上で立直可能な開閉自在の箱型形状ケースと、前記鞍乗型車両の後部シートに取り付けられるバッグ固定用取付ベルトのバッグ接続ベルトに接続可能な取付用ベルト接続部と、を備えている。前記サイドバッグ用取付テーブルは、上面側に平らな面を有するテーブル本体と、前記サイドバッグの前記取付用ベルト接続部と着脱自在に接続可能なサイドバッグ接続部と、を備え、前記一又は一対のサイドバッグを前記車幅方向に準じた間隔をあけ、前記一のサイドバッグと対となるサイドバッグと又は前記一対のサイドバッグの各々を対向させて地面に立直させた状態で、かつ、前記テーブル本体を当該対向させた一対のサイドバッグの上面側に載置させた状態で、当該対向させた一対のサイドバッグの各々の取付用ベルト接続部に前記サイドバッグ接続部を接続させて、テーブル形態で利用可能とし、前記サイドバッグ用取付テーブルを当該対向させた一対のサイドバッグから取り外した場合に、前記サイドバッグ用取付テーブルを前記箱型形状ケースの収納空間に前記サイドバッグ用取付テーブルを収納可能であることを特徴とする。
【考案の効果】
【００１２】
本考案に係るサイドバッグ用取付テーブルおよびサイドバッグによれば、サイドバッグに簡易テーブル機能を付加し、かつ、簡易テーブル機能を付加した場合でも荷物の収納性や、積載性を損なうことがない。
【図面の簡単な説明】
【００１３】
【図１】本考案に係る実施形態のサイドバッグ用取付テーブルおよびサイドバッグの構成の一例を示す斜視図である。
【図２】図１（ａ）及び（ｂ）に示すサイドバッグ用取付テーブルの平面図、側面図及び底面図である。
【図３】図１（ａ）及び（ｂ）に示すサイドバッグの左右側から俯瞰した斜視図である。
【図４】図１（ａ）及び（ｂ）に示すサイドバッグ用取付テーブルのサイドバッグへの取り付け方法を説明する図である。
【図５】実施形態のサイドバッグ用取付テーブルの利用方法の一例を示す図である。
【図６】実施形態のサイドバッグ用取付テーブルのサイドバッグへの収納方法を説明する図である。
【図７】鞍乗型車両の後部シートへの実施形態のサイドバッグ取り付け状態の一例を示す図である。
【図８】鞍乗型車両の後部シートへの実施形態のサイドバッグ取り付け及び後部シートからの取り外し方法の一例を示す図である。
【考案を実施するための形態】
【００１４】
以下、本考案に係る実施形態のサイドバッグ用取付テーブルおよびサイドバッグについて、図面を参照して具体的に説明する。ここで、互いに同一または類似の部分には共通の符号を付して、重複説明は省略する。以降で説明する実施形態はいずれも、鞍乗型車両（自動二輪車、自動三輪車等）の後部シートに取り付け可能なサイドバッグの一例をとりあげて説明する。以降では、はじめに、本考案に係るサイドバッグ用取付テーブルおよびサイドバッグの実施形態の構成例について説明し、次に、実施形態のサイドバッグ用取付テーブルの取付方法、使用方法等について説明する。
【００１５】
［実施形態］
以下、本考案に係るサイドバッグ用取付テーブルおよびサイドバッグの実施形態の構成について、図１乃至図８を用いて説明する。実施形態の一対のサイドバッグ１０Ａは、例えば後述する図７及び８に示すような二輪自動車（オートバイ、スクーター）、三輪自動車等の鞍乗型車両９Ａの後部シート８Ａに装備可能なサイドバッグである。
【００１６】
ここで、図１〜図６は、実施形態のサイドバッグ用取付テーブル１Ａおよび一対のサイドバッグ１０Ａの構成等を示す図である。詳しくは、図１は、本考案に係る実施形態のサイドバッグ用取付テーブル１Ａおよびサイドバッグ２Ａ及び３Ａの構成の一例を示す斜視図である。図２は、図１（ａ）及び（ｂ）に示すサイドバッグ用取付テーブル１Ａの平面図、側面図及び底面図である。図３は、図１（ａ）及び（ｂ）に示すサイドバッグ２Ａの左右側から俯瞰した斜視図である。
【００１７】
図４は、図１（ａ）及び（ｂ）に示すサイドバッグ用取付テーブル１Ａの一対のサイドバッグ１０Ａへの取り付け方法を説明する図であり、図５は、サイドバッグ用取付テーブル１Ａの利用方法の一例を示す図である。図６（ａ）及び（ｂ）は、サイドバッグ用取付テーブル１Ａのサイドバッグ２Ａへの収納方法を説明する図である。
【００１８】
また、図７は、鞍乗型車両９Ａの後部シート８Ａへのサイドバッグ取り付け状態の一例を示す図であり、図８は、鞍乗型車両９Ａの後部シート８Ａへのサイドバッグ取り付け及び後部シート８Ａからのサイドバッグ取り外し方法の一例を示す図である。
【００１９】
以降では、図１乃至図６を参照しながら、実施形態のサイドバッグ用取付テーブル１Ａおよび一対のサイドバッグ１０Ａの構成等について説明し、さらに、図７及び図８等を参照しながら鞍乗型車両９Ａへのサイドバッグ２Ａ及び３Ａの取り付け方法等の一例について説明する。
【００２０】
図１等に示す実施形態の一対のサイドバッグ１０Ａは、図７に示すような鞍乗型車両９Ａの後部シート８Ａに装備可能なサイドバッグ２Ａ及び３Ａである。サイドバッグ２Ａ及び３Ａは、例えば鞍乗型車両９Ａの後部シート８Ａの左右側に装備可能な箱型形状に形成されている。以降において、実施形態の一対のサイドバッグ１０Ａの構成の一例として、図１乃至図８に示す箱型形状のサイドバッグ２Ａ及び３Ａを用いて説明する。
【００２１】
図１（ａ）及び（ｂ）に示す実施形態のサイドバッグ用取付テーブル１Ａは、例えば図７等に示す鞍乗型車両９Ａの後部シート８Ａの車幅方向に装備可能な一対のサイドバッグ１０Ａに取付可能である。実施形態のサイドバッグ用取付テーブル１Ａは、図１及び図２に示すように、上面側に平らな面を有するテーブル本体１１ａと、テーブル本体１１ａの底面側に設けられた複数のサイドバッグ接続部１２ａとを備えている。
【００２２】
図１（ａ）に示すように、一対のサイドバッグ１０Ａを車幅方向に準じた間隔をあけ、サイドバッグ２Ａ及び３Ａの各々を対向させて地面に立直させた状態とする。次に、図１（ｂ）に示すように、サイドバッグ２Ａ及び３Ａの各々の取付用ベルト接続部２３ａ及び３３ａにサイドバッグ用取付テーブル１Ａのサイドバッグ接続部１２ａを接続させて、一対のサイドバッグ１０Ａの立直させた状態で、かつ、テーブル本体１１ａを一対のサイドバッグ１０Ａの上面側に載置させて固定した状態で、テーブル形態で利用可能である。
【００２３】
好ましくは、サイドバッグ用取付テーブル１Ａは、当該サイドバッグ用取付テーブル１Ａを一対のサイドバッグ１０Ａから取り外した場合に、当該サイドバッグ用取付テーブル１Ａを一対のサイドバッグ１０Ａのうちの少なくともいずれか片方のサイドバッグ２Ａ又は３Ａの収納空間に収納可能である。
【００２４】
実施形態のサイドバッグ２Ａ又は３Ａは、図１（ａ）及び（ｂ）に示すように、一対のサイドバッグ１０Ａの上部に載置可能に固定できるサイドバッグ用取付テーブル１Ａと、箱型形状ケース（上ケース２１ａ及び下ケース２２ａ、又は、上ケース３１ａ及び下ケース３２ａ）と、鞍乗型車両９Ａの後部シート８Ａに取り付けられるバッグ固定用取付ベルト４Ａのバッグ接続ベルト（前方バッグ接続ベルト４１ａ及び後方バッグ接続ベルト４２ａ）に接続可能な取付用ベルト接続部２３ａ又は３３ａと、を備えている。
【００２５】
箱型形状ケース（上ケース２１ａ及び下ケース２２ａ、又は、上ケース３１ａ及び下ケース３２ａ）は、上面部と底面部とが平行形状で、かつ、地面上で立直可能な開閉自在である。なお、箱型形状ケースは、図１等に示すような側面側から視て長方形状でなくてもよく、上面部と底面部とが平行形状である立直可能であれば、前方又は後方側が丸型形状、略三角形状、多角形状等でもよい。
【００２６】
サイドバッグ用取付テーブル１Ａは、図１（ａ）に示すように、上面側に平らな面を有するテーブル本体１１ａと、サイドバッグ２Ａ及び３Ａの取付用ベルト接続部２３ａ及び３３ａと着脱自在に接続可能なサイドバッグ接続部１２ａと、を備えている。
【００２７】
例えば、図２等に示すサイドバッグ用取付テーブル１Ａの一例において、複数のサイドバッグ接続部１２ａは、一方の片端側に雄型バックル１２１ａ（又は雌型バックル）を有する短手ベルト１２２ａからなり、当該短手ベルト１２２ａの他方の片端側に留めボタン１２３ａによりテーブル本体１１ａに設けられた貫通孔１１０ａに貫通して留められる。
【００２８】
一対のサイドバッグ１０Ａを車幅方向に準じた間隔をあけ、サイドバッグ２Ａ及び３Ａの各々を対向させて地面に立直させた状態で、かつ、テーブル本体１１ａを一対のサイドバッグ１０Ａの上面側に載置させた状態で、サイドバッグ２Ａ及び３Ａの各々の取付用ベルト接続部２３ａ及び３３ａにサイドバッグ接続部１２ａを接続させて、テーブル形態で利用可能である。
【００２９】
実施形態のサイドバッグ２Ａ又は３Ａには、サイドバッグ用取付テーブル１Ａをサイドバッグ２Ａ及び３Ａから取り外した場合に、サイドバッグ用取付テーブル１Ａを箱型形状ケース（上ケース２１ａ及び下ケース２２ａ、又は、上ケース３１ａ及び下ケース３２ａ）の収納空間にサイドバッグ用取付テーブル１Ａを収納可能である。
【００３０】
実施形態のサイドバッグ２Ａ及び３Ａは、例えば図７及び図８に示すような鞍乗型車両９Ａの後部シート８Ａの左右に装備可能な一対のサイドバッグ１０Ａ（図１等に示す左側サイドバッグをサイドバッグ２Ａとし、右側サイドバッグをサイドバッグ３Ａと称す）である。
【００３１】
図１（ａ）に示すように、一対（左右）のサイドバッグ１０Ａを装備した後部シート８Ａから取り外した後、車幅方向に準じた間隔をあけ、一方のサイドバッグ２Ａと他方のサイドバッグ３Ａとを対向させて地面に立直させる。
【００３２】
さらに、図１（ｂ）に示すように、一対のサイドバッグ１０Ａを立直させた状態で、かつ、テーブル本体１１ａを上面側に載置させた状態で、左右のサイドバッグ２Ａ及び３Ａの各々の取付用ベルト接続部２３ａ及び３３ａを、サイドバッグ用取付テーブル１Ａのサイドバッグ接続部１２ａに接続させて、テーブル形態で利用可能とするものである。
【００３３】
サイドバッグ用取付テーブル１Ａを一対のサイドバッグ１０Ａから取り外した場合に、当該サイドバッグ用取付テーブル１Ａを一対のいずれかのサイドバッグ２Ａ又は３Ａの収納空間（例えば、図６に示すサイドバッグ２Ａの上ケース収納空間２８ａ又は下ケース収納空間２９ａ）に収納可能である。
【００３４】
テーブル本体１１ａは、略長方形状の薄い平板（薄板構造）である。平板の材料は、軽量で硬質の材料からなり、例えばアルミニウム材、硬質のプラスチィック材等である。また、平板の形状・大きさは、サイドバッグ２Ａ又は３Ａの収納空間に収納可能なサイズである。図２（ａ）乃至（ｃ）の例では、１枚の平板によるテーブル本体１１ａの構造例を図示しているが、例えば折畳み可能な板、ジョイント構造を有する複数の板をジョイント可能な平板の組合せであってもよい。
【００３５】
図１（ａ）に示すサイドバッグ用取付テーブル１Ａの底面側には、例えば図２（ｂ）及び（ｃ）に示すように、４つのサイドバッグ接続部１２ａが取り付けられている。サイドバッグ接続部１２ａの各々には、短手ベルト１２２ａの一方の片端側に雄型バックル１２１ａが取り付けられ、図２（ｂ）及び（ｃ）に示すように、短手ベルト１２２ａの他方の片端側に留め具により固定される。
【００３６】
短手ベルト１２２ａの片端側の留め具として、例えば、留めボタン１２３ａが短手ベルト１２２ａの片端側を貫通すると共に、テーブル本体１１ａに設けられた複数の貫通孔１１０ａに固定されている。留めボタン１２３ａは、例えばカシメ金具、合成ゴム等が用いられる。また、以上のような留め具だけでなく、テーブル本体１１ａの底面側に、複数のＵ字状（アーチ形状）のベルト留め輪が設けられて、短手ベルト１２２ａの一方の片端側がベルト留め輪に端部処理が施されて接続されてもよい。
【００３７】
なお、図２（ｂ）及び（ｃ）の例では、４本の短手ベルト１２２ａを用いているが、例えば、長手方向に沿って２本の長手ベルトを用いて、各々の長手ベルトの両端部側に２つの雄型バックル１２１ａを設ける構成であってもよい。また、サイドバッグ接続部１２ａには、雄型バックル１２１ａを用いているが、バックル方式以外の接続手段として、サイドバッグ側の接続手段に応じて、それに対応した係止具又は係合具等であってもよい。
【００３８】
図３（ａ）及び（ｂ）に、図１（ａ）及び（ｂ）に示すサイドバッグ２Ａの左右側から俯瞰した斜視図を示す。なお、図１（ａ）及び（ｂ）に示すサイドバッグ３Ａは、図３に示すサイドバッグ２Ａと左右対称な構造である。以下、図１及び図３等に示す実施形態のサイドバッグ２Ａの構造の一例について、説明する。
【００３９】
サイドバッグ２Ａは、上ケース２１ａ及び下ケース２２ａの上面部と、上ケース２１ａ及び下ケース２２ａの底面部とが平行形状である。好ましくは、サイドバッグ２Ａにおいて、図１及び図３等に示すような上面部と底面部とが平行形状である立直可能な箱型形状ケースである。箱型形状ケースは、例えば上ケース２１ａと下ケース２２ａとの一部を接合した構造である。上ケース２１ａと下ケース２２ａとは、開閉チャック部２１１ａのチャック構造により開閉自在とされる。
【００４０】
なお、図１及び図３等は、サイドバッグ２Ａ及び３Ａが地面に立直した状態の図であり、上面部とは、地面に立直した場合の箱型形状ケースの上面側の部分であり、例えば本図等においてサイドバッグ２Ａのハンドグリップ２５ａが取り付けられた面側である。また、底面部とは、地面に立直した場合の箱型形状ケースの底面側（地面に接触する面側）の部分であり、本図等においてサイドバッグ２Ａのハンドグリップ２５ａが取り付けられた面側と反対方向の面側である。
【００４１】
面ファスナー２２５ａは、後述する図７（ｂ）に示すような後部シート８Ａを覆うフラップ３２１ａと接合するための面接触型の係合材である。例えば、フラップ２２１ａの面ファスナー２２５ａとフラップ３２１ａとの接合と、フラップ３２１ａの面ファスナー３２５ａとフラップ２２１ａとの接合とが、後部シート８Ａに装備された左右のサイドバッグ２Ａ及び３Ａの取り付け状態を補強するような構造とされている。
【００４２】
後部シート８Ａに取り付けられたバッグ固定用取付ベルト４Ａが、フラップ２２１ａのベルト挿通孔２２２ａ及びフラップ３２１ａのベルト挿通孔３２２ａを通って、サイドバッグ２Ａ及び３Ａの前方側の雌型バックル２３１ａ及び３３１ａと、後方側の雌型バックル２３１ａ及び３３１ａへ接続される。
【００４３】
バッグ下部固定具２２３ａは、下ケース２２ａの下部の内側角付近に設けられる。バッグ下部固定具２２３ａの用途は、サイドバッグ２Ａをバッグ固定用取付ベルト４Ａにより後部シート８Ａに取り付けた際に、例えば図７（ａ）に示すように、さらに後部シート８Ａを支持する後部車体等のフレームのいずれかに固定ベルトの一方に掛け、他の一方をバッグ下部固定具２２３ａに掛けることにより、サイドバッグ２Ａの後部シート８Ａへの取付状態を補強するものである。
【００４４】
Ｄリング２２４ａは、下ケース２２ａ上部の前面側と後面側に設けられるリング状の係止具である。Ｄリング２２４ａは、例えば利用者がサイドバッグ２Ａをショルダーバッグとして利用する場合に、肩掛けベルトの係止具側を係止するために用いられる。
【００４５】
取付用ベルト接続部２３ａは、箱型形状ケースの上面側に設けられた、少なくともバッグ固定用取付ベルト４Ａと接続可能な接続部材である。例えば、取付用ベルト接続部２３ａにおいて、図４（ｂ）に示すような短手長のバックルベルト２３３ａの中央部分付近が、下ケース２２ａの上面側にベルト固定具２３４ａにより固定されている。固定されたバックルベルト２３３ａの両端側には、雌型バックル２３１ａと雌型バックル２３２ａとが設けられている。雌型バックル２３１ａは、バッグ固定用取付ベルト４Ａの雄型バックル４１１ａ及び４２１ａ、サイドバッグ用取付テーブル１Ａのサイドバッグ接続部１２ａの雄型バックル１２１ａと、着脱可能に接続できる。
【００４６】
コンプレッションベルト２４ａは、上ケース２１ａの下ケース２２ａからのオープン状態に解除、及び、上ケース２１ａの下ケース２２ａへのクローズ状態にロックするためのベルト締結・解除のための部材である。コンプレッションベルト２４ａの一端側は、例えば下ケース２２ａの下部側に接続され、もう一端側には雄型バックルを有するコンプレッションベルトバックル２４１ａが設けられている。
【００４７】
コンプレッションベルト２４ａは、箱型形状ケースの底面側又は側面側から上面側に架け渡されて、取付用ベルト接続部２３ａの一端側の雌型バックル２３２ａにコンプレッションベルトバックル２４１ａが着脱自在に接続可能とされる。ベルトガイド２１２ａは、箱型形状ケースの側面側（図３（ａ）等に示す上ケース２１ａの側面側）において、コンプレッションベルト２４ａの一部を留めるための留め具である。
【００４８】
ハンドグリップ２５ａは、後部シート８Ａから取り外されたサイドバッグ２Ａを移動可能に持ち運ぶための把持部分である。ハンドグリップ２５ａは、例えば下ケース２２ａの上面部分に取り付けられている。
【００４９】
例えば、箱型形状ケースとして、上ケース２１ａがＡＢＳ樹脂製などのハードケースタイプと、下ケース２２ａがナイロン製の場合において、サイドバッグ２Ａのケースが地面に置かれた際に自立可能である。また、例えば、上ケース２１ａ及び下ケース２２ａがナイロン製、皮革製等のソフトケース等の場合においても、ケース内に強固なフレーム枠、骨組み等が組み込まれて自立可能である。
【００５０】
（テーブル取付方法）
実施形態のサイドバッグ用取付テーブル１Ａは、例えば図７及び図８に示すような鞍乗型車両９Ａ（自動二輪車、自動三輪車等）の後部シート８Ａに装備可能なサイドバッグ２Ａ及び３Ａに取り付け可能である。サイドバッグ２Ａ及び３Ａを鞍乗型車両９Ａの後部シート８Ａから取り外した後に、サイドバッグ用取付テーブル１Ａを容易に取り付け可能であり、また、サイドバッグ用取付テーブル１Ａを容易に取り外し可能である。サイドバッグ２Ａ及び３Ａは、地面に置いて自立するサイドバッグである。
【００５１】
例えば、鞍乗型車両９Ａの後部シート８Ａから取り外したサイドバッグ２Ａ及び３Ａを、食事、キャンプ場所等の地面に置いて、サイドバッグ２Ａ及び３Ａの間隔（車幅方向に準じた間隔）を空けて、各々を対向させて地面に立直させるだけで、以降で説明するテーブル取り付け方法により、サイドバッグ用取付テーブル１Ａのテーブル脚部として、サイドバッグ２Ａ及び３Ａを利用可能である。
【００５２】
ここで、図４（ａ）及び（ｂ）に示すサイドバッグ用取付テーブル１Ａのサイドバッグ２Ａ及び３Ａへの取り付け方法を説明する。
（１）例えば、図８（ａ）及び（ｂ）に示すように、左右両方のサイドバッグ２Ａ及び３Ａを後部シート８Ａから取り外して、図１（ａ）に示すように、地面へ左右両方のサイドバッグ２Ａ及び３Ａを、間隔をあけて地面等に置く。
【００５３】
（２）サイドバッグ用取付テーブル１Ａの底面側には、図２に示すように、４つのサイドバッグ接続部１２ａが取り付けられている。サイドバッグ接続部１２ａの各々には、短手ベルト１２２ａの一方の片端側に雄型バックル１２１ａが取り付けられ、短手ベルト１２２ａの他方の片端側に留めボタン１２３ａがテーブル本体１１ａに設けられた貫通孔１１０ａに固定されている。
【００５４】
（３）サイドバッグ用取付テーブル１Ａを左右のサイドバッグ２Ａ及び３Ａに取り付ける方法として、最初に、例えば図４（ａ）に示すように、一方のサイドバッグ３Ａの２つの取付用ベルト接続部３３ａの雌型バックル３３１ａへ、サイドバッグ用取付テーブル１Ａの一方の片端側の２つのサイドバッグ接続部１２ａの雄型バックル１２１ａを接続する。
【００５５】
（４）次に、例えば図４（ｂ）に示すように、もう一方のサイドバッグ２Ａの２つの取付用ベルト接続部２３ａの雌型バックル２３１ａへ、サイドバッグ用取付テーブル１Ａのもう一方の片端側の２つのサイドバッグ接続部１２ａの雄型バックル１２１ａを接続する。
【００５６】
（５）以上のようなサイドバッグ用取付テーブル１Ａの取り付け方法により、図１（ｂ）に示すように、左右のサイドバッグ２Ａ及び３Ａの上部に載置されて、サイドバッグ用取付テーブル１Ａが固定される。
【００５７】
（テーブル使用方法）
図５は、サイドバッグ用取付テーブル１Ａの利用方法の一例を示す図である。図５に示す一対のサイドバッグ１０Ａは、図１（ｂ）に示す構成と同様に、左右のサイドバッグ２Ａ及び３Ａと、サイドバッグ用取付テーブル１Ａとから構成されている。
【００５８】
左右のサイドバッグ２Ａ及び３Ａを車幅方向に準じた間隔をあけ、各々を対向させて地面に立直させた状態で、かつ、テーブル本体１１ａを一対のサイドバッグ１０Ａの立直させた状態での上面側に載置させた状態で、テーブル本体１１ａの４つのサイドバッグ接続部１２ａをサイドバッグ２Ａ及び３Ａの各々の取付用ベルト接続部２３ａ及び３３ａに接続させて固定できるため、サイドバッグ用取付テーブル１Ａの上面側をテーブル形態で利用可能である。
【００５９】
例えば、図５に示すようなテーブル利用形態の状態である一対のサイドバッグ１０Ａの上部において、サイドバッグ２Ａ及び３Ａの雌型バックル２３１ａ及び３３１ａ側と、サイドバッグ用取付テーブル１Ａの雄型バックル１２１ａ側とが接続されて固定されているので、サイドバッグ用取付テーブル１Ａ上に皿、ボトル、フォーク、スプーン等を載せても、テーブル本体１１ａが両サイドバッグ２Ａ及び３Ａの上部からずれ難い。
【００６０】
以上により、サイドバッグ用取付テーブル１Ａを取り付けた一対のサイドバッグ１０Ａに対して、図５に示すように、皿、ボトル、スプーン、フォーク等の食器具などを、テーブル本体１１ａに安定的に置くことができる。
【００６１】
従来、バイクツーリング・キャンプ等に出かけた際に、折畳みテーブル等をサイドバッグに収納していない場合に、皿、ボトル、カップ等を地面に直接置くか、もしくは、ビニールシートを敷いてその上に置く等をしていた。または、シートバッグ、サイドバッグ等の収納空間に収納する荷物を工夫又は収納する他の荷物を制限して（小さな荷物・キャンピング道具等に変更等）、折畳みテーブル等を収納していた。
【００６２】
（テーブル収納方法）
一方、本実施形態のサイドバッグ用取付テーブル１Ａおよびサイドバッグ２Ａ又は３Ａでは、図６に示すように、サイドバッグ用取付テーブル１Ａを収納する場合に、荷物の収納性や、積載性を損なうことがない。ここで、図６に示すサイドバッグ用取付テーブル１Ａのサイドバッグ２Ａ又は３Ａへの収納方法について説明する。
【００６３】
サイドバッグ用取付テーブル１Ａが一対のサイドバッグ１０Ａから取り外された場合に、サイドバッグ用取付テーブル１Ａは、左右いずれかの片方のサイドバッグ２Ａ又は３Ａへ収納可能な大きさ・形状である。図２の例では、１枚の平板によるテーブル本体１１ａの構造例を図示しているが、例えばジョイント構造を有する２枚の板をジョイント可能な平板の組合せからなるテーブル本体とした場合、２枚の板のそれぞれを分離して、その各々をサイドバッグ２Ａ及び３Ａへ収納してもよい。
【００６４】
例えば、図６（ａ）及び（ｂ）に示すように、サイドバッグ用取付テーブル１Ａは、片方のサイドバッグ２Ａの上ケース２１ａの裏側（後部シート８Ａの車体部分に面しない側面の裏側）の上ケース収納空間２８ａに収納することができ、他の荷物の収納の邪魔にならない。なお、例えばサイドバッグ用取付テーブル１Ａを、片方のサイドバッグ２Ａの下ケース２２ａの底側（後部シート８Ａの車体部分に面する側面側）に収納すると、鞍乗型車両９Ａの後部シート８Ａの車体部分に下ケース２２ａの底部分を過渡に接触させる恐れがある。
【００６５】
また、後部シート８Ａ側フレームの凸部分に下ケース２２ａの底側の凹みとなるような柔軟な構造とされているため、サイドバッグ２Ａの下ケース２２ａの底側に収納することを避けるようにするには、好ましくは、サイドバッグ用取付テーブル１Ａは、例えば図６（ｂ）に示すような上ケース２１ａ裏側の上ケース収納空間２８ａに収納できるサイズである。
【００６６】
図６（ａ）及び（ｂ）に示す上ケース２１ａ側の上ケース収納空間２８ａでは、サイドバッグ用取付テーブル１Ａを上ケース２１ａ側の上ケース収納空間２８ａに収納する例であり、例えば第１ホルダーベルト２６ａ及び第１メッシュホルダー２６１ａと、第２ホルダーベルト２７ａ及び第２メッシュホルダー２７１ａとにより、収納物を固定又は半固定できるようにされている。
【００６７】
具体的には、上ケース２１ａ側の上ケース収納空間２８ａに収納された収納物は、第１第１メッシュホルダー２６１ａ及び第２メッシュホルダー２７１ａにより上ケース２１ａの内側の上面側を覆われて、第１ホルダーベルト２６ａと第２ホルダーベルト２７ａを調整して接続することにより、収納物を固定又は半固定できるようにされている。なお、図６の例では、サイドバッグ２Ａへサイドバッグ用取付テーブル１Ａを収納する一例を示したが、他方のサイドバッグ３Ａへサイドバッグ用取付テーブル１Ａを収納してもよい。
【００６８】
（テーブル取付可能なサイドバッグについて）
図７は、鞍乗型車両９Ａの後部シート８Ａへの実施形態のサイドバッグ取り付け状態の一例を示す図である。また、図８は、鞍乗型車両９Ａの後部シート８Ａへの実施形態のサイドバッグ取り付け及び後部シート８Ａからの実施形態のサイドバッグ取り外し方法の一例を示す図である。
【００６９】
なお、図７（ａ）に示す鞍乗型車両９Ａは、車両の後方側から後部シート８Ａを俯瞰した図であり、後部シート８Ａに装備された左右のサイドバッグ２Ａ及び３Ａの取り付け状態を示す一例である。また、図７（ｂ）は、後部シート８Ａに装備された左右のサイドバッグ２Ａ及び３Ａの取り付け状態を上方方向から俯瞰した図である。
【００７０】
さらに、図８（ａ）は、左右のサイドバッグ２Ａ及び３Ａを後部シート８Ａに装備するためのバッグ固定用取付ベルト４Ａの取り付け方法及び取り外し方法を説明するための上方方向から俯瞰した図であり、図８（ｂ）は、同じく右後方方向から俯瞰した図である。
【００７１】
実施形態のサイドバッグ２Ａ及び３Ａは、後部シート８Ａへの装備状態において、図７及び図８に示すように、バッグ固定用取付ベルト４Ａにより後部シート８Ａに取り付けられている。バッグ固定用取付ベルト４Ａは、図８（ａ）及び（ｂ）に示すように、ベース部材４０ａと、ベース部材４０ａに接続されている前方バッグ接続ベルト４１ａと、後方バッグ接続ベルト４２ａと、シート巻付ベルト４３ａとから構成されている。
【００７２】
前方バッグ接続ベルト４１ａは、図８（ａ）及び（ｂ）に示すように、ベース部材４０ａの前方側（後部シート８Ａの前側とする）にベルトの中央部分が接続され、後方バッグ接続ベルト４２ａは、ベース部材４０ａ後方側（後部シート８Ａの後側とする）にベルトの中央部分が接続されている。また、シート巻付ベルト４３ａは、ベース部材４０ａの中央側に、後部シート８Ａを巻き付け固定可能なように接続されている。
【００７３】
ここで、図７（ｂ）に示す後部シート８Ａに装備された左右のサイドバッグ２Ａ及び３Ａの取り付け状態では、バッグ固定用取付ベルト４Ａと左右のサイドバッグ２Ａ及び３Ａの取付用ベルト接続部２３ａ及び３３ａとが接続されている。このバッグ固定用取付ベルト４Ａとの接続状態において、前方バッグ接続ベルト４１ａ及び後方バッグ接続ベルト４２ａが、フラップ２２１ａのベルト挿通孔２２２ａ及びフラップ３２１ａのベルト挿通孔３２２ａを通って、サイドバッグ２Ａ及び３Ａの前方側の雌型バックル２３１ａ及び３３１ａと、後方側の雌型バックル２３１ａ及び３３１ａへ接続されている。
【００７４】
また、フラップ２２１ａの面ファスナー２２５ａとフラップ３２１ａとの接合と、フラップ３２１ａの面ファスナー３２５ａとフラップ２２１ａとの接合とが、後部シート８Ａに装備された左右のサイドバッグ２Ａ及び３Ａの取り付け状態を補強するような構造とされている。
【００７５】
なお、図１乃至図８の例では、サイドバッグ２Ａ及び３Ａにおいて、各々のフラップ２２１ａとフラップ３２１ａとが分離した構造の例を示したが、例えばフラップ２２１ａとフラップ３２１ａとが連接した構造（サイドバッグ２Ａとサイドバッグ３Ａとが一体型の構造）である、一対のサイドバッグ１０Ａであってもよい。
【００７６】
バッグ固定用取付ベルト４Ａは、図８に示すように、ベース部材４０ａが後部シート８Ａに載置されて、後部シート８Ａにシート巻付ベルト４３ａが巻き付けられて固定される。バッグ固定用取付ベルト４Ａでは、前方バッグ接続ベルト４１ａと、後方バッグ接続ベルト４２ａとに、左右のサイドバッグ２Ａ及び３Ａの取付用ベルト接続部２３ａ及び３３ａとが接続される。
【００７７】
具体的な接続方法の一例として、例えば前方バッグ接続ベルト４１ａの雄型バックル４１１ａが、フラップ２２１ａのベルト挿通孔２２２ａ及びフラップ３２１ａのベルト挿通孔３２２ａを通って、サイドバッグ２Ａ及び３Ａの前方側の雌型バックル２３１ａ及び３３１ａへ接続される。また、後方バッグ接続ベルト４２ａの雄型バックル４２１ａが、フラップ２２１ａのベルト挿通孔２２２ａ及びフラップ３２１ａのベルト挿通孔３２２ａを通って、サイドバッグ２Ａ及び３Ａの後方側の雌型バックル２３１ａ及び３３１ａへ接続される。
【００７８】
以上のようなバッグ固定用取付ベルト４Ａのバッグ接続ベルト（前方バッグ接続ベルト４１ａ及び後方バッグ接続ベルト４２ａ）と、着脱自在に接続可能なサイドバッグ２Ａ及び３Ａの各々の取付用ベルト接続部２３ａ及び３３ａに対して、図２等に示すサイドバッグ用取付テーブル１Ａのサイドバッグ接続部１２ａを接続させることにより、テーブル本体１１ａをサイドバッグ２Ａ及び３Ａの上面側に固定することができる。これにより、サイドバッグ２Ａ及び３Ａをテーブル脚部として、サイドバッグ用取付テーブル１Ａをテーブル形態で利用することができる。
【００７９】
なお、これらの雄型及び雌型バックルの関係は、逆であってもよく、また、前方バッグ接続ベルト４１ａと後方バッグ接続ベルト４２ａとが、前後方向にクロスした取付ベルト等であってもよい。すなわち、図７及び図８に示す例は、一例の構造で有り、サイドバッグ２Ａ及び３Ａと、バッグ固定用取付ベルト４Ａとの接続部材が相互に着脱可能に接続でき、後部シート８Ａに取り付けて固定できる構造であれば、本実施形態のサイドバッグ用取付テーブル１Ａ、又は、その変型例の構造で、簡易テーブルの接続方法の適用が可能である。
【００８０】
以上説明したように、実施形態のサイドバッグ用取付テーブル１Ａおよび一対のサイドバッグ１０Ａは、例えば、
（ｉ）サイドバッグ用取付テーブル１Ａが、両サイドバッグ２Ａ及び３Ａへ載置できる簡易なテーブル構造であること
（ｉｉ）サイドバッグ２Ａ及び３Ａのバッグ固定用取付ベルト４Ａと接続固定する接続バックルを利用して、サイドバッグ用取付テーブル１Ａを着脱可能に取り付けることができ、取り付け時にテーブル本体１１ａを固定できること
（ｉｉｉ）サイドバッグ２Ａ及び３Ａの間隔を空けて、地面に立直させるだけで、サイドバッグ用取付テーブル１Ａを簡易テーブルとして使用可能であること
（ｉｖ）サイドバッグ用取付テーブル１Ａが、一方のサイドバッグ２Ａ又は３Ａへコンパクトに収納可能であること
等の特徴を有するものである。
【００８１】
以上のような特徴の他にも、利用者側に対して、実施形態のサイドバッグ２Ａ又は３Ａは、例えば販売形態として、一対のサイドバッグ１０Ａ（左右のサイドバッグ２Ａ及び３Ａ）と、サイドバッグ用取付テーブル１Ａとをセットとしての販売だけでなく、左右のサイドバッグ２Ａ及び３Ａをセットで販売し、又は、紛失・損傷等のために左右のサイドバッグ２Ａ又は３Ａを、各々単独販売することもできる。そのような場合にも、サイドバッグ用取付テーブル１Ａを、別売り等でオプション販売可能とすれば、既にサイドバッグ２Ａ及び３Ａを購入利用している利用者にとっては、新規に購入する必要がないため、利用者にとっても、コスト的な負担が大幅に減る。
【００８２】
以上説明したように、本実施形態のサイドバッグ用取付テーブルおよびサイドバッグによれば、サイドバッグに簡易テーブル機能を付加し、かつ、簡易テーブル機能を付加した場合でも荷物の収納性や、積載性を損なうことがない。
【００８３】
［他の実施形態］
以上、本実施形態を説明したが、この実施形態は、例として提示したものであり、考案の範囲を限定することは意図していない。また、例えば実施形態のなかのいくつか特徴を組み合わせてもよい。さらに、本実施形態は、その他の様々な形態で実施されることが可能であり、考案の要旨を逸脱しない範囲で、種々の省略、置き換え、変更を行うことができる。本実施形態やその変形には、考案の範囲や要旨に含まれると同様に、実用新案登録請求の範囲に記載された考案とその均等の範囲に含まれるものである。
【符号の説明】
【００８４】
１Ａ…サイドバッグ用取付テーブル、２Ａ、３Ａ…サイドバッグ、４Ａ…バッグ固定用取付ベルト、８Ａ…後部シート、９Ａ…鞍乗型車両、１０Ａ…一対のサイドバッグ、１１ａ…テーブル本体、１１０ａ…貫通孔、１２ａ…サイドバッグ接続部、１２１ａ…雄型バックル、１２２ａ…短手ベルト、１２３ａ…留めボタン、２１ａ、３１ａ…上ケース、２１１ａ、３１１ａ…開閉チャック部、２１２ａ、３１２ａ…ベルトガイド、２２ａ、３２ａ…下ケース、２２１ａ、３２１ａ…フラップ、２２２ａ、３２２ａ…ベルト挿通孔、２２３ａ、３２３ａ…バッグ下部固定具、２２４ａ、３２４ａ…リング、２２５ａ、３２５ａ…面ファスナー、２３ａ、３３ａ…取付用ベルト接続部、２３１ａ、３３１ａ…雌型バックル、２３２ａ、３３２ａ…雌型バックル、２３３ａ、３３３ａ…バックルベルト、２３４ａ、３３４ａ…ベルト固定具、２４ａ、３４ａ…コンプレッションベルト、２４１ａ、３４１ａ…コンプレッションベルトバックル、２５ａ、３５ａ…ハンドグリップ、２６ａ…第１ホルダーベルト、２６１ａ…第１メッシュホルダー、２７ａ…第２ホルダーベルト、２７１ａ…第２メッシュホルダー、２８ａ…上ケース収納空間、２９ａ…下ケース収納空間、４０ａ…ベース部材、４１ａ…前方バッグ接続ベルト、４１１ａ、４２１ａ…雄型バックル、４２ａ…後方バッグ接続ベルト、４３ａ…シート巻付ベルト
【図１】
0003225837.tif 000003
【図２】
0003225837.tif 000004
【図３】
0003225837.tif 000005
【図４】
0003225837.tif 000006
【図５】
0003225837.tif 000007
【図６】
0003225837.tif 000008
【図７】
0003225837.tif 000009
【図８】
0003225837.tif 000010